(57)【要約】【課題】  ガラス窓枠のロック部分のロック受け片周辺の窓ガラスの内側に装着して、ロック部分近くの窓ガラスが割られその部分からロック解除のために外側から手を入れる場合にロック解除の妨げとして機能し、しかも、その装着及び取り外しも容易な防犯用サッシロックガード器を提供することにある。【解決手段】  箱形基板２、箱形基板２の内部に配置され両端側に係止片３３が形成された支持片３、支持片３の内側に配置された伸縮バネ４、伸縮バネ４の伸縮方向に向けて配置され一端に窓枠係止片５１が連結された連結線５、箱形基板２の内部に設けられ支持片３の係止片３３が係止される係止受け６などから構成される。【選択図】        図１
2006046003.tif 000002
【特許請求の範囲】
【請求項１】
スライド式の並設された２枚のガラス窓枠を有し、窓閉状態で一部重なる部分の内側寄りのガラス窓枠の枠端外側面に回転型ロック係合片が取り付けられ、外側寄りのガラス窓枠の内部側枠端に上記回転型ロック係合片が係合されるロック受け片が形成された窓に装着される防犯用サッシロックガード器において、上記ロック受け片に当たらない底板切欠溝が形成され上記ロック受け片を囲んでその周囲の外側寄りのガラス窓枠のガラス内面側に装着される底板、上記ロック受け片に当たらない側板切欠溝が形成され底板の側周を囲む側板、並びに開閉する蓋板を備えた箱形基板を設け、該箱形基板の内部に、基片及びその左右両側の側片からなる溝型状の弾性の支持片を配置し、支持片の左右の側片の先端側に係止片を形成し、支持片の基片及び左右の側片の内側に該側片の長さ方向に伸縮する伸縮バネを配置し、伸縮バネの伸縮方向に向けて連結線を配置し、連結線の一端側を上記支持片の基片を貫通させると共に貫通したその一端にサッシロックガード時に上記ロック受け片に引っ掛け係止される窓枠係止片を連結し、連結線の他端を伸縮バネの他端を挟圧する固定挟圧板に連結し、上記側板切欠溝の向かい側の箱形基板の内部の底板に上記支持片の係止片がサッシロックガード時に係止される係止受けをそれぞれ設けたことを特徴とする防犯用サッシロックガード器。
【請求項２】
箱形基板の底板の一端側には差込片が形成されている請求項１記載の防犯用サッシロックガード器。
【発明の詳細な説明】
【技術分野】
【０００１】
この発明は、空き巣などの侵入者が窓ガラスを割って侵入するのを防ぐ防犯用サッシロックガード器に関するものである。
【背景技術】
【０００２】
一般的なスチール製或いはアルミ製などの金属製サッシ用の窓は、方形の窓取付枠の内部側にガラスが装着された２枚のガラス窓枠が一部重なるようにして平行に取付けられていて、２枚のガラス窓枠が窓取付枠の上下辺に形成された２本のガイドに沿って横方向にスライド移動して窓を開閉する構造になっている。
２枚のガラス窓枠のうち、外側寄りのガラス窓枠の閉じた時に一部重なる窓中央側となる右端側には上面から見て右横向きにフック状のロック受け片が形成され、内側寄りのガラス窓枠の閉じた時に一部重なる窓中央側となる左側端には受け片に係合して窓をロックする回転型ロック係合片が取付けられている。回転型ロック係合片が取付けられたガラス窓枠の左側端は、水平断面が室内側に突出する矩形型になっていて補強されている。
回転型ロック係合片は半円形に形成されていて、その回転軸は左側端に軸支され、半円形周縁側は側端と逆向きに９０度近く曲げられていて、回転によってこの曲げられた半円形周縁側の一部が上記ロック受け片の内側に係合されることによって窓はロックされ、逆方向に回転させて上記ロック受け片の内側から曲げられた半円形周縁側を外すことによって窓のロックは解除されて開けることができるようになっている。
一方、空き巣などの侵入者が窓ガラスを割って侵入する場合、窓のサッシのロック受け片が取付けられた側のガラス窓枠のロック受け片近くのガラスを外側からハンマーなどを使って叩いてガラスを割り、或いはロック受け片近くのガラスを外側からバーナーで加熱した後に冷却スプレー等で急速冷却するとその部分のガラスが割れ、割れたガラスの部分から手を入れて回転型ロック係合片のレバー片を開方向に回してロック部分を解除し窓を開けて室内に侵入する。
この場合、回転型ロック係合片が取付けられた内側寄りのガラス窓枠の回転型ロック係合片近くのガラスを割ることも考えられるが、この部分から手をいれたときには断面矩形型の左側端が邪魔になって簡単に回転型ロック係合片のレバーを開方向に回し難く時間がかかるため、短い時間で窓を開ける必要のある侵入者はこちら側の窓ガラスを割って入ることは一般に行われない。
【発明の開示】
【発明が解決しようとする課題】
【０００３】
ところで、空き巣などの侵入者は、侵入に５分以上手間取ると侵入を諦めるものである。このため、窓ガラスを割って侵入する空き巣などの侵入者に対して、５分間程度侵入を防ぐことができれば、防犯機能を発揮することになる。
【０００４】
この発明は、上記のような課題に鑑み、その課題を解決すべく創案されたものであって、その目的とするところは、ガラス窓枠のロック部分のロック受け片周辺の窓ガラスの内側に装着して、ロック部分近くの窓ガラスが割られその部分からロック解除のために外側から手を入れる場合にロック解除の妨げとして機能し、しかも、その装着及び取り外しも容易な防犯用サッシロックガード器を提供することにある。
【課題を解決するための手段】
【０００５】
以上の目的を達成するために、この発明は、スライド式の並設された２枚のガラス窓枠を有し、窓閉状態で一部重なる部分の内側寄りのガラス窓枠の枠端外側面に回転型ロック係合片が取り付けられ、外側寄りのガラス窓枠の内部側枠端に上記回転型ロック係合片が係合されるロック受け片が形成された窓に装着される防犯用サッシロックガード器において、上記ロック受け片に当たらない底板切欠溝が形成され上記ロック受け片を囲んでその周囲の外側寄りのガラス窓枠のガラス内面側に装着される底板、上記ロック受け片に当たらない側板切欠溝が形成され底板の側周を囲む側板、並びに開閉する蓋板を備えた箱形基板を設け、該箱形基板の内部に、基片及びその左右両側の側片からなる溝型状の弾性の支持片を配置し、支持片の左右の側片の先端側に係止片を形成し、支持片の基片及び左右の側片の内側に該側片の長さ方向に伸縮する伸縮バネを配置し、伸縮バネの伸縮方向に向けて連結線を配置し、連結線の一端側を上記支持片の基片を貫通させると共に貫通したその一端にサッシロックガード時に上記ロック受け片に引っ掛け係止される窓枠係止片を連結し、連結線の他端を伸縮バネの他端を挟圧する固定挟圧板に連結し、上記側板切欠溝の向かい側の箱形基板の内部の底板に上記支持片の係止片がサッシロックガード時に係止される係止受けをそれぞれ設けた手段よりなるものである。
【発明の効果】
【０００６】
以上の記載より明らかなように、この発明に係る防犯用サッシロックガード器によれば、サッシロックガード時にガラス窓枠のロック部分のロック受け片周辺の窓ガラスの内側に箱形基板を装着して、箱形基板の内部に配置した連結線の一端に連結された窓枠係止片をロック受け片に引っ掛けて係止させると共に支持片の両端側の係止片を箱形基板の内部の係止受けに係止させることにより、ロック受け片周辺の窓ガラスの内側に箱形基板の底板を強固に装着でき、ロック受け片部分周辺の窓ガラスが割られても強固に装着された箱形基板の底板が、その部分からロック解除のために外側から手を入れる場合にロック解除の妨げとして機能し、しかも、その装着及び取り外しも容易に行うことができる等、極めて新規的有益なる効果を奏するものである。
【発明を実施するための最良の形態】
【０００７】
以下、図面に記載の発明を実施するための最良の形態に基づいて、この発明をより具体的に説明する。
ここで、図１は防犯用サッシロックガード器をガラス窓枠に装着時の箱形基板の内部平面図、図２は防犯用サッシロックガード器をガラス窓枠に装着時の箱形基板の側断面図、図３は支持片に伸縮バネ、連結線などが取り付けられた斜視図、図４は左右の係止受けの正面図である。
【０００８】
図において、防犯用サッシロックガード器１は、スライド式の並設された２枚のガラス窓枠を有し、窓閉状態で一部重なる部分の内側寄りのガラス窓枠１０１の枠端外側面１０２に回転型ロック係合片１０３が取り付けられ、外側寄りのガラス窓枠１０４の内部側枠端１０５に上記回転型ロック係合片１０３が係合されるロック受け片１０６が形成された窓に装着される器具で、箱形基板２、箱形基板２の内部に配置され両端側に係止片３３が形成された支持片３、支持片３の内側に配置された伸縮バネ４、伸縮バネ４の伸縮方向に向けて配置され一端に窓枠係止片５１が連結された連結線５、箱形基板２の内部に設けられ支持片３の係止片３３が係止される係止受け６などから構成されている。
【０００９】
箱形基板２は、底板２１とその側周を囲む４つの側板２２、並びに開閉する蓋板２３から形成されている。底板２１と４つの側板２２とは一体的に形成されている。箱形基板２は外側寄りのガラス窓枠１０４に装着時にロック受け片１０６側となる箇所に、このロック受け片１０６を囲むようにして取り付けられる。
【００１０】
箱形基板２の底板２１はロック受け片１０６が端部に形成されたガラス窓枠に装着時にロック受け片１０６周囲のガラス内面側１０７つまりガラスａの表面を内側から覆うものであり、ロック受け片１０６近くのガラスａが外側から割られ、その割られた部分からロック解除のために外側から手を入れる場合に、割れたガラスの内側に底板２１が位置するため、この底板２１が邪魔してロック解除の妨げて例えば５分以内でのロック解除をできないようにする。
【００１１】
箱形基板２の底板２１にはロック受け片１０６に当たらないように例えば方形状の底板切欠溝２１ａが形成されている。底板切欠溝２１ａは外側寄りのガラス窓枠１０４に装着時にロック受け片１０６側となる一端側の中間部分に形成されている。同様に、箱形基板２の４つの側板２２の一つには、ロック受け片１０６に当たらないように例えば方形状の側板切欠溝２２ａが形成されている。側板切欠溝２２ａは外側寄りのガラス窓枠１０４に装着時にロック受け片１０６側となる側板２２の中間部分に形成されている。これら底板切欠溝２１ａと側板切欠溝２２ａは直角に連なっている。
【００１２】
また、底板切欠溝２１ａが形成された底板２１の一端側には、中間部分の底板切欠溝２１ａを除いた部分に差込片２１ｂが外側方に向けて張り出して形成されている。差込片２１ｂは、箱形基板２をロック受け片１０６側のガラス窓枠に取り付ける場合に、外側寄りのガラス窓枠１０４と内側寄りのガラス窓枠１０１が一部重なる隙間部分に挿入される部分である。差込片２１ｂは必要に応じて省略されることがある。
【００１３】
蓋板２３は底板２１及び４つの側板２２で囲まれる箱形基板２の内部を塞ぐ蓋で、上記側板切欠溝２２ａが形成された側板２２の上端に蓋板２３の一端が蝶番などによって開閉動できるように取り付けられている。蓋板２３はその一端を支点として側板切欠溝２２ａが形成された側板２２の上端で開閉動する。
【００１４】
支点として開閉動する一端の反対側の蓋板２３には、蓋板２３を閉じたままにする弾性体からなる止め片２３ａが形成されている。止め片２３ａは蓋板２３の内面側つまり蓋板２３を閉じたときに箱型基板の内部になる側に蓋板２３の一端側に少し傾斜して底板２１側に向けて取り付けられている。
【００１５】
止め片２３ａはその一端が蓋板２３の内面側に取り付けられ、先端側がそこから蓋板２３の一端側に少し傾斜して底板２１側に向けて取り付けられている。止め片２３ａの先端には小さな円筒状になった係止端２３ｂが形成されている。止め片２３ａはその先端の円筒状の係止端２３ｂが後記の上部横板６１の下端の受け片６１ａより一端側に向けて突出することで係止されて蓋板２３を閉じた状態する。
【００１６】
止め片２３ａが取り付けられた側の蓋板２３の表面には蓋開用孔２３ｃが形成されている。蓋開用孔２３ｃは指が入る大きさの孔で、止め片２３ａによって蓋板２３が閉じられている場合に、蓋開用孔２３ｃに指を突っ込んで止め片２３ａを押すことで、止め片２３ａの先端の係止端２３ｂを上部横板の下端より離して係止状態を解除させて、蓋板２３を開ける構造になっている。
【００１７】
支持片３は、弾性材からなり、平面から見て溝型状に形成されており、細長い帯板の中央側となる基片３１、基片３１の両側を同じ方向に向けて例えば７０〜８０度程度曲げて形成された左右の側片３２、左右の側片３２の先端側をそれぞれ外向きに曲げて形成された引っ掛けるためのフック状の係止片３３から構成されている。支持片３の両端側の係止片３３は係止受け６に引っ掛けられて係止される。
【００１８】
支持片３の両端側の係止片３３を両側の係止受け６に引っ掛ける場合、左右の側片３２を更に少し内側に手で曲げて取り付けることになるが、支持片３は弾性材から構成されているため、取り付けた後に曲げる力を解除すると弾性力により元の状態に復帰して両側の係止受け６側に左右の側片３２先端側に当たって、先端側の係止片３３が係止受け６から外れ難くなる。
【００１９】
伸縮バネ４は、サッシロックガード時に支持片３の両端側の係止片３３と連結線５の一端の窓枠係止片５１との間を緊張状態にして、係止片３３が係止受け６から外れないようにロック受け片１０６側に向けて係止片３３を引っ張る力を生じさせ、同様に窓枠係止片５１がロック受け片１０６から外れないように係止受け６側に向けて窓枠係止片５１を引っ張る力を生じさせる。
【００２０】
例えばコイルバネからなる伸縮バネ４は、支持片３を構成する基片３１及び左右の側片３２の内側に配置されている。この伸縮バネ４は左右の側片３２の長さ方向に伸縮するように配置されている。例えばコイルバネからなる伸縮バネ４はその両端が可動挟圧板４１と固定挟圧板４２によって挟まれている。
【００２１】
また、コイルバネからなる伸縮バネ４は円筒形の保持筒４３の内部にその一部が挿入されている。円筒形の保持筒４３の一端にはコイルバネからなる伸縮バネ４の両端を挟む両挟圧板４１，４２の一方の上記可動挟圧板４１が取付けられ、他端は開口していてこの開口する他端から伸縮バネ４の一部が挿入されている。
【００２２】
保持筒４３の一端の可動挟圧板４１の中央には小孔４１ａが形成されている。サッシロックガード時にこの保持筒４３の一端の可動挟圧板４１が当接する支持片３の基片３１の中央には同様に小孔３１ａが形成されている。可動挟圧板４１の小孔４１ａと基片３１の小孔３１ａとは可動挟圧板４１が基片３１に当接時に同一箇所になる位置に形成されている。
【００２３】
コイルバネからなる伸縮バネ４の他端には、前記可動挟圧板４１と協動して伸縮バネ４の両端を挟圧する円形の前記固定挟圧板４２が配置されている。円形の固定挟圧板４２の直径はコイルバネからなる伸縮バネ４の他端側の直径より少し大きく、伸縮バネ４の他端を挟圧できるようになっており、又その中央には小孔４２ａが形成されている。
【００２４】
例えばコイルバネからなる伸縮バネ４の内部をバネの伸縮方向に貫通する連結線５が配線されている。連結線５には例えばワイヤー線が使用されている。伸縮バネ４の内部を貫通する連結線５の一端側は、前記可動挟圧板４１の小孔４１ａと基片３１の小孔３１ａとを貫通し連結具５ａを介して窓枠係止片５１に連結されている。窓枠係止片５１はロック受け片１０６に引っ掛けられて係止される部分で、例えば円形リングの形状から形成されている。連結線５はサッシロックガード時にその一端側がこの窓枠係止片５１によってロック受け片１０６に引っ掛けられる。
【００２５】
また、伸縮バネ４の内部を貫通する前記連結線５の他端側は前記固定挟圧板４２に連結されている。連結線５の他端側は、固定挟圧板４２の中央に形成された小孔４２ａを貫通して、固定挟圧板４２の外面側に設けられた連結止め５ｂに結合されて、固定挟圧板４２の中央の小孔４２ａから抜けないようにして固定挟圧板４２に連結されている。
【００２６】
係止受け６は、前記支持片３の両側片３２の先端側にそれぞれ形成されたフック状の係止片３３を引っ掛けて係止させる機能を果たすもので、箱形基板２の前記側板切欠溝２２ａが形成された側板２２の向かい側の側板２２側にそれぞれ設けられている。両係止受け６は側板２２の少し手前つまり少し側板切欠溝２２ａ寄りの箇所に設けられている。
【００２７】
両係止受け６は箱形基板２の底板２１に上向きに垂直に設けられ、又両係止受け６の上部は上部横板６１によって連結されている。両係止受け６は間をあけて設けられていて、上部横板６１と両係止受け６とで囲まれる部分は方形の切り欠き溝になっていて、支持片３の側片３２の先端側にそれぞれ外向きに曲げて形成された両係止片３３はこの切り欠き溝に挿入されてその両側の係止受け６に引っ掛けられて係止される構造になっている。
【００２８】
両係止受け６の上部を連結する上部横板６１は、その左右両端側の上端が上部連結板６３によって箱形基板２の側板２２の上端に連結支持されている。この上部横板６１の下端は、前記したように、蓋板２３を閉めた状態にする場合に蓋板２３に取り付けられた止め片２３ａの先端の係止端２３ｂが係止される部分で、止め片２３ａの係止端２３ｂの受け片６１ａの役目を果たす。
【００２９】
両係止受け６はその下部が底板２１に連結されて支持されており、又その上部が上部横板６１を介して上部連結横板６２によって箱形基板２の側板２２の上端に連結されて支持されている。このため、支持片３の両係止片３３が引っ掛けられても、係止受け６は変形することがなく、変形によって係止片３３が係止受け６から外れることはない。
【００３０】
また、上部連結横板６２は上部横板６１の左右両端側に連結されていて、左右の上部連結横板６２の間には空間が形成されていて、この左右の上部連結横板６２の間に前記蓋板２３の止め片２３ａが挿入できる構造になっている。
【００３１】
次に、上記発明を実施するための最良の形態の構成に基づく防犯用サッシロックガード器１の使用方法について以下説明する。
スライド式の並設された２枚の窓ガラスを閉めた後、外側寄りのガラス窓枠１０４の建物内部側となる内部側枠端１０５に形成されたロック受け片１０６の周囲に、防犯用サッシロックガード器１の箱形基板２を装着する。
【００３２】
箱形基板２の装着は、箱形基板２の底板２１の一端側の差込片２１ｂを外側寄りのガラス窓枠１０４と内側寄りのガラス窓枠１０１とが一部重なる隙間に挿入することで簡単に行うことができる。差込片２１ｂが形成されていない場合には、例えば箱形基板２の底板２１の裏面側と外側寄りのガラス窓枠１０４のガラス内面側１０７との間に両面テープを取り付けて、この両面テープを利用することにより箱形基板２を装着することができる。
【００３３】
箱形基板２を装着した後に、箱形基板２の内部に配置されている連結線５の一端のリング状の窓枠係止片５１を、横向きフック状のロック受け片１０６に引っ掛けて係止させる。窓枠係止片５１をロック受け片１０６に係止させた後に、支持片３をロック受け片１０６の向かい側の係止受け６に向けて移動させる。支持片３を係止受け６側に向けて移動させると、支持片３の内側に配置された伸縮バネ４は縮む。
【００３４】
即ち、移動する支持片３の基片３１が可動挟圧板４１に当接して可動挟圧板４１を支持片３の移動方向に押圧移動させる。押圧移動する可動挟圧板４１は伸縮バネ４の一端側を支持片３の移動方向に向けて押圧移動させる。このとき、伸縮バネ４の内部を貫通する連結線５の他端が連結された固定挟圧板４２が支持片３の他端に当接しているので、伸縮バネ４の両端はこの可動挟圧板４１と固定挟圧板４２によってその両端側が挟圧されて縮むことになる。
【００３５】
伸縮バネ４が縮むことによって、移動する支持片３にはその移動方向に対して抵抗力が生じて、支持片３を元の状態に戻そうとする力が作用する。この抵抗力に抗して支持片３を更に係止受け６側に向けて引っ張り、支持片３の両端側となる左右の側片３２の先端側に形成された係止片３３を両側の係止受け６にそれぞれ係止させる。
【００３６】
支持片３の両端側の係止片３３を手で少し内側に絞って両側の間隔を狭めて、左右の係止受け６の間に挿入させた後に絞った力を抜くと、弾性力によって支持片３の両端側は外側に向けて拡開して、支持片３の両端側の係止片３３は係止受け６を係止される。
【００３７】
係止受け６に係止された支持片３の係止片３３には、縮む伸縮バネ４によりにロック受け片１０６側に向けて引っ張る力が作用することによって、支持片３の両端側の係止片３３は係止受け６に強固に係止されることになり、簡単に外れることがない。
【００３８】
同様に、ロック受け片１０６に係止された窓枠係止片５１にも、縮む伸縮バネ４によりに係止受け６側に向けて引っ張る力が作用することによって、窓枠係止片５１はロック受け片１０６に強固に係止されることになり、簡単に外れることがない。
【００３９】
以上の操作により取り付けた後に、回転型ロック係合片１０３を回転させてロック受け片１０６に係合させて窓をロックし蓋板２３を閉める。蓋板２３を閉めると、蓋板２３の止め片２３ａの先端の係止端２３ｂが箱形基板２の内部の上部横板６１の下端の受け片６１ａに引っ掛けられ係止されて、蓋板２３は開かなくなる。蓋板２３を閉めることにより、防犯用サッシロックガード器１の窓ガラスへの取り付け作業は完了する。
【００４０】
このように、箱形基板２の内部に配置した支持片３と連結線５の一端の窓枠係止片５１とにより、箱形基板２の底板２１はロック受け片１０６の周囲のガラス内面側１０７を覆った状態で強固に装着されるため、底板２１で覆った部分のガラスａが外側から割られて、外側から底板２１に圧力が加えられても、底板２１はロック受け片１０６部分から５分程度の間は簡単に外れることがなく、外部からの侵入を防ぐことが可能となる。
【００４１】
サッシロックガードを解除する場合には、指を蓋開用孔２３ｃに突っ込んで止め片２３ａを押して、止め片２３ａの先端の係止端２３ｂを受け片６１ａから離して蓋板２３を手前に引くと、蓋板２３は一端を支点として開動して、蓋板２３は開けられる。
【００４２】
蓋板２３を開け回転型ロック係合片１０３を逆向きに回転させてロック受け片１０６との係合を解除してロック状態を解除した後に、支持片３を係止受け６側に少し引っ張って支持片３の両側の側片３２を絞り、支持片３の両端側の係止片３３の幅間隔を狭めて左右の係止受け６の間から抜き出して、支持片３をロック受け片１０６側に移動させると、縮んでいた伸縮バネ４は元の状態に復帰して伸縮バネ４のバネ力は消失する。このため、ロック受け片１０６に引っ掛けられて係止されていた連結線５の一端の窓枠係止片５１に強固に作用していた引っ張り力も消失し、窓枠係止片５１をロック受け片１０６から簡単に外すことができる。
【００４３】
そして、箱形基板２の底板２１をロック受け片１０６側のガラス内面側１０７から外すことにより、防犯用サッシロックガード器１の窓ガラスからの取り外し作業は完了する。
【００４４】
なお、この発明は上記発明を実施するための最良の形態に限定されるものではなく、この発明の精神を逸脱しない範囲で種々の改変をなし得ることは勿論である。
【図面の簡単な説明】
【００４５】
【図１】この発明を実施するための最良の形態を示す防犯用サッシロックガード器をガラス窓枠に装着時の箱形基板の内部平面図である。
【図２】この発明を実施するための最良の形態を示す防犯用サッシロックガード器をガラス窓枠に装着時の箱形基板の側断面図である。
【図３】この発明を実施するための最良の形態を示す支持片に伸縮バネ、連結線などが取り付けられた斜視図である。
【図４】この発明を実施するための最良の形態を示す左右の係止受けの正面図である。
【符号の説明】
【００４６】
１    防犯用サッシロックガード器
２    箱形基板
２１    底板
２１ａ  底板切欠溝
２１ｂ  差込片
２２    側板
２２ａ  側板切欠溝
２３    蓋板
２３ａ  止め片
２３ｂ  係止端
２３ｃ  蓋開用孔
３    支持片
３１    基片
３１ａ  小孔
３２    側片
３３    係止片
４    伸縮バネ
４１    可動挟圧板
４１ａ  小孔
４２    固定挟圧板
４２ａ  小孔
４３    保持筒
５    連結線
５ａ  連結具
５ｂ  連結止め
５１    窓枠係止片
６    係止受け
６１    上部横板
６１ａ  受け片
６２    上部連結横板
１０１    内側寄りのガラス窓枠
１０２    枠端外側面
１０３    回転型ロック係合片
１０４    外側寄りのガラス窓枠
１０５    内部側枠端
１０６    ロック受け片
１０７    ガラス内面側
ａ    ガラス
【図１】
2006046003.tif 000003
【図２】
2006046003.tif 000004
【図３】
2006046003.tif 000005
【図４】
2006046003.tif 000006